(57)【要約】【課題】  十分な先端屈曲部（フック部）長さを備えた高周波処置具を提供する。【解決手段】  高周波処置具は、中心軸を有する細長い絶縁チューブ４２と、絶縁チューブ４２の先端に対してから突出可能な先端部を有し、絶縁チューブ４２の長手軸に沿って移動可能に内挿された操作ワイヤ５４と、操作ワイヤ５４の先端部に配設され、操作ワイヤ５４の中心軸から外れた状態で延びたフック状の針状電極１６とを備えている。【選択図】      図４
2005230080.tif 000002
【特許請求の範囲】
【請求項１】
中心軸を有する細長い筒状部材と、
前記筒状部材の中心軸に沿って移動可能に内挿された線状部材と、
前記線状部材の先端部で前記筒状部材の中心軸から外れる方向に延出された偏心部と、前記筒状部材の先端に対して突出可能で、前記偏心部の先端部で前記偏心部に対して屈曲されたフック部とを有する針状電極と
を具備することを特徴とする高周波処置具。
【請求項２】
中心軸を有する細長い筒状部材と、
前記筒状部材の中心軸に沿って移動可能に内挿された線状部材と、
前記線状部材の先端部で前記筒状部材の中心軸から外れる方向に延出された偏心部と、前記筒状部材の先端に対して突出可能で、前記偏心部の先端部で前記偏心部に対して屈曲されたフック部とを有する針状電極と、
前記筒状部材に配設され、先端部に前記筒状部材の中心軸に対して直交する方向に長い長穴状のスリット部が形成され、前記スリット部に前記偏心部が位置した状態で前記筒状部材の中心軸を中心とした軸回り方向の回転力を前記偏心部を介して前記フック部に伝達させる回転伝達手段と
を具備することを特徴とする高周波処置具。
【請求項３】
前記フック部は、前記偏心部が前記線状部材に対して延出された方向に対して反対方向に屈曲されていることを特徴とする請求項１もしくは請求項２に記載の高周波処置具。
【請求項４】
前記針状電極は、前記フック部を先端部に形成する第１の曲部と、前記筒状部材の中心軸に対して外れる方向に前記線状部材から延出され、前記偏心部が前記第１の曲部との間に配設された第２の曲部とを備えていることを特徴とする請求項１ないし請求項３のいずれか１に記載の高周波処置具。
【請求項５】
前記偏心部は、前記線状部材の軸に対して平行であることを特徴とする請求項１ないし請求項４のいずれか１に記載の高周波処置具。
【請求項６】
前記偏心部は、前記線状部材の軸に対して傾斜されていることを特徴とする請求項１ないし請求項４のいずれか１に記載の高周波処置具。
【請求項７】
前記スリット部は、前記筒状部材の先端部に装着された先端部材に形成されていることを特徴とする請求項２に記載の高周波処置具。
【発明の詳細な説明】
【技術分野】
【０００１】
本発明は、医療分野に属する処置具に関し、特に内視鏡と組み合わせて使用し、高周波電流を流すことにより体腔内の組織を切開したり切除したりする高周波処置具に関する。
【背景技術】
【０００２】
従来の内視鏡用高周波処置具の一例が例えば特許文献１や特許文献２に開示されている。さらに、例えば図１０（Ａ）および図１０（Ｂ）に示すような針状電極を有する高周波処置具２１０も知られている。
【０００３】
特許文献１には、可撓性シースと、可撓性シースに内挿された針状のナイフ電極とを備えた高周波処置具が開示されている。ナイフ電極は、可撓性シースの先端に対して突没可能である。ナイフ電極の基端部には、可撓性シースの内周面に装着された先端部材に当接されて可撓性シースの先端に対してナイフ電極が突出する長さを規制する規制部材が設けられている。
【０００４】
特許文献２には、可撓性シースの先端に対して突没自在なループ状高周波切除ワイヤを備えた高周波切除具が開示されている。可撓性シースの先端には、周方向に沿って１８０度の位置にそれぞれ切り込み部が形成されている。この高周波切除具では、高周波切除ワイヤのループ部は、シースの先端に対して突出されたときに切り込み部に係合される。そして、シースの長軸を中心とした軸回りの回転が切り込み部を介して切除ワイヤに伝えられるので、切除ワイヤを容易に回転させることができる。このため、目的とする病変部に対して切除ワイヤを容易にかけることができる。
【０００５】
また、図１０（Ａ）および図１０（Ｂ）に示す高周波処置具２１０は、可撓性シース２４２と、可撓性シースに内挿されたワイヤ状の針電極２１６とを備えている。針電極２１６は、横向きに屈曲されたフック部２８０を先端に備えている。可撓性シース２４２の先端部の内周面には、先端部材２４４が配設されている。針電極２１６のフック部２８０は、先端部材２４４に対して突没可能である。針電極２１６の基端部には、先端部材２４４に当接されるストッパ２５６が設けられている。針電極２１６の突出時に可撓性シース２４２の先端部材２４４に当接されることにより、針電極２１６の先端部材２４４に対する突出長が規定される。
【特許文献１】実開昭６１−１９１０１２号公報
【特許文献２】特開平１０−１４６３４５号公報
【発明の開示】
【発明が解決しようとする課題】
【０００６】
特許文献１に開示された高周波処置具のナイフ電極の刃は、直伸されているのでナイフ電極の刃を所望の向きに合わせる場合、内視鏡の挿入部を湾曲させたり、その軸回りに回転させたりすることが必要であるなど、困難な操作を伴う。また、広い管腔を有する臓器内で内視鏡を介して使用する場合、目的の病変部に対してナイフが滑ってしまうことがあるので、正確に病変部を切開・切除する作業が難しくなる。
【０００７】
特許文献２に開示された高周波切除具は、ループ状高周波切除ワイヤを緊縛するのに適した有茎性の病変は容易に切除可能であるが、非隆起状の病変を切除するのに適した電極部の形状ではない。
【０００８】
また、図１０（Ａ）および図（Ｂ）に示す高周波処置具２１０は、内視鏡のチャンネル径が小さい場合など、針電極２１６の先端部のフック部２８０の長さが十分に取れず、病変部に電極２１６を係止させようとしても困難な場合がある。特に、この高周波処置具２１０が組み合わせて使用される内視鏡のチャンネル径が２ｍｍ以下の場合、内視鏡のチャンネルを傷つけることを防ぐためにフック部２８０の長さが短くなる傾向にある。このため、図１０（Ａ）および図１０（Ｂ）に示す高周波処置具２１０は、処置に必要なフック部２８０の長さを十分に備えることが困難であるといった第１の課題がある。
【０００９】
さらに、針電極２１６を回転させようとする場合、可撓性シース２４２の基端部に加えられた回転力は、針電極２１６と可撓性シース２４２とが接触する部位がないので針電極２１６に上手く伝達されず、針電極２１６のフック部２８０の向きを偏向することが困難である。このため、図１０（Ａ）および図１０（Ｂ）に示す高周波処置具２１０は、可撓性シース２４２の基端部に加えた回転力をフック部２８０に確実に伝達させてフック部２８０の向きを容易に偏向することが困難であるといった第２の課題がある。
【００１０】
この発明は、少なくとも上記第１の課題を解決するためになされたもので、十分な先端屈曲部（フック部）長さを備えた高周波処置具を提供することを第１の目的とする。
【００１１】
また、この発明は、上記第１および第２の課題を解決するためになされたもので、十分な先端屈曲部（フック部）長さを備えているとともに、長手軸の軸回りに回転させたときに回転追従性の良い電極を有する高周波処置具を提供することを第２の目的とする。
【課題を解決するための手段】
【００１２】
上記第１の目的を達成するために、この発明の高周波処置具は、中心軸を有する細長い筒状部材と、前記筒状部材の中心軸に沿って移動可能に内挿された線状部材と、前記線状部材の先端部で前記筒状部材の中心軸から外れる方向に延出された偏心部と、前記筒状部材の先端に対して突出可能で、前記偏心部の先端部で前記偏心部に対して屈曲されたフック部とを有する針状電極とを備えている。
【００１３】
このように、線状部材の先端部の電極の偏心部が筒状部材の中心軸に対して外れた位置にあるので、フック部を例えば筒状部材の内径を横切るように形成することができる。このため、同じ内視鏡のチャンネルを挿通させても、中心軸上からフック部を形成した場合に比べてフック部の長さを長く取ることができる。
【００１４】
上記第２の目的を達成するために、この発明の高周波処置具は、中心軸を有する細長い筒状部材と、前記筒状部材の中心軸に沿って移動可能に内挿された線状部材と、前記線状部材の先端部で前記筒状部材の中心軸から外れる方向に延出された偏心部と、前記筒状部材の先端に対して突出可能で、前記偏心部の先端部で前記偏心部に対して屈曲されたフック部とを有する針状電極と、前記筒状部材に配設され、先端部に前記筒状部材の中心軸に対して直交する方向に長い長穴状のスリット部が形成され、前記スリット部に前記偏心部が位置した状態で前記筒状部材の中心軸を中心とした軸回り方向の回転力を前記偏心部を介して前記フック部に伝達させる回転伝達手段とを備えている。
【００１５】
このような構成のため、線状部材の先端部の電極が筒状部材の中心軸に対して外れた位置にあるので、フック部を例えば筒状部材の内径を横切るように形成することができる。このため、同じ内視鏡のチャンネルを挿通させても、中心軸上からフック部を形成した場合に比べてフック部の長さを長く取ることができる。また、筒状部材をその中心軸の軸回りに回転させた場合、スリット部を介して電極に回転力が伝達されるので、フック部を容易に偏向させることができる。
【発明の効果】
【００１６】
この発明によれば、十分な先端屈曲部（フック部）長さを備えた高周波処置具を提供することができる。
【００１７】
また、十分な先端屈曲部（フック部）長さを備えているとともに、長手軸の軸回りに回転させたときに回転追従性の良い電極を有する高周波処置具を提供することができる。
【発明を実施するための最良の形態】
【００１８】
以下、図面を参照しながらこの発明を実施するための最良の形態（以下、実施の形態という）について説明する。
【００１９】
まず、第１の実施の形態について図１ないし図５を用いて説明する。
【００２０】
図１に示すように、この実施の形態に係る高周波処置具１０は、筒状の本体部材（筒状部材）１２と、この本体部材１２の長手軸に沿って移動可能に内挿された線状部材１４と、この線状部材１４の先端部に配設され、線状部材１４の中心軸から外れる方向に延びたフック状の針状電極１６とを備えている。本体部材１２は、細長い筒状の挿入部２２と、この挿入部２２の基端部に配設されたコネクタ２４と、コネクタ２４の基端部に配設されたハンドル部（操作部）２６とを備えている。図示しない内視鏡の処置具挿通チャンネルから挿入部２２の先端部が突出したときに、内視鏡の観察像で突出したことを容易に認識するためのマーキング２２ａが挿入部２２の先端部の外周面に施されている。
【００２１】
ハンドル部２６は、スライド部３２ａを有するハンドル本体３２と、このハンドル本体３２のスライド部３２ａ上を摺動自在に設けられたスライダ３４と、このスライダ３４に配設されたコネクタピン３６とを備えている。ハンドル本体３２のスライド部３２ａの基端部には、例えば親指が挿入されるリング３２ｂが設けられている。スライダ３４には、例えば人差指と中指とが挿入される１対のリング３４ａ，３４ｂが設けられている。コネクタピン３６には、図示しない高周波電源が電気的に接続される。ハンドル本体３２のスライド部３２ａの先端部は、コネクタ２４の基端部に着脱自在に固定されている。スライダ３４は、図示しない機構により線状部材１４の基端部の後述する繋部６０（図２参照）に着脱自在に固定されて接続されている。スライダ３４と線状部材１４の繋部６０とが接続されると、線状部材１４とコネクタピン３６とは電気的に接続される。
【００２２】
図２に示すように、挿入部２２は、体腔内に挿入可能な細長く、可撓性を有する絶縁チューブ４２により形成されている。絶縁チューブ４２の先端部の内周面には、径方向内方に突出した管状の先端部材４４が圧入されて配設されている。図３（Ａ）および図３（Ｂ）に示すように、この先端部材４４は、スリット（スリット部）４４ａを先端部に備えている。図３（Ｂ）に示すように、先端部材４４の内周面には、線状部材１４の後述するストッパ５６が突き当てられる小径部４４ｂが形成されている。すなわち、先端部材４４の内周面には、段差を備えている。
【００２３】
図２に示す絶縁チューブ４２は、例えばＰＴＦＥ等、高周波電流を絶縁する樹脂材で形成されている。絶縁チューブ４２は、内視鏡の処置具挿通チャンネルを挿通可能な外径を有する。以後、例えば処置具挿通チャンネルの径が２ｍｍであり、絶縁チューブ４２の最大外径が２ｍｍ以下である場合について説明する。
【００２４】
線状部材１４は、操作ワイヤ５４を備えている。この操作ワイヤ５４の先端部には、針状電極１６が一体的に配設されている。操作ワイヤ５４の外周面は、第１および第２の密巻コイル５４ａ，５４ｂで覆われている。第１の密巻コイル５４ａは、操作ワイヤ５４の先端部側の外周面に配設されている。第２の密巻コイル５４ｂは、操作ワイヤ５４の先端部側の外周面に配設されている。図示しない内視鏡の湾曲操作を行ない易くするため、第１および第２の密巻コイル５４ａ，５４ｂは、それぞれ１条のステンレス線材、および多条のステンレス線材で形成されている。
【００２５】
第１の密巻コイル５４ａの先端部には、上述した先端部材４４の小径部４４ｂに突き当てられるストッパ５６が配設されている。すなわち、操作ワイヤ５４の先端部の外周面は、ストッパ５６で覆われている。
【００２６】
一方、第２の密巻コイル５４ｂの基端部には、補強パイプ５８が配設されている。すなわち、操作ワイヤ５４の基端部の外周面は、コネクタ２４に対して進退可能な補強パイプ５８により覆われている。補強パイプ５８の基端部には、小径部６０ａを備えた繋部６０が装着されている。この繋部６０には、さらに操作ワイヤ５４の基端部が固定されている。
【００２７】
コネクタ２４は、洗浄ポート６２ａを備えたコネクタ本体６２と、絶縁チューブ４２の基端部を弾性変形させた状態で係止する係止部６４と、補強パイプが挿通される挿通部６６と、ハンドル本体３２（図１参照）の先端部が着脱可能に固定されるハンドル固定部６８とを備えている。係止部６４は、コネクタ本体６２の先端部に設けられている。係止部６４に係止された絶縁チューブ４２の基端部の外周面には、絶縁チューブ４２が折れ曲がることを防止する折れ止めチューブ７０が装着されている。
【００２８】
挿通部６６は、洗浄ポート６２ａに連通されている。ハンドル固定部６８は、コネクタ本体６２の基端部に設けられている。挿通部６６とコネクタ本体６２との間で、かつ、ハンドル固定部６８の先端部には、Ｏリング７２が配設されている。このため、洗浄ポート６２ａから液体を注入した場合、コネクタ本体６２の基端部側に液体が浸入することが防止される。
【００２９】
一方、操作ワイヤ５４の先端部で一体的に形成された針状電極１６は、０．２ないし０．４ｍｍの直径を有するワイヤを曲げ加工することにより製造される。電極１６は、電極１６の先端側から基端部側に向かって、第１の曲部１６ａ、第２の曲部１６ｂ、および第３の曲部１６ｃを備えている。第１の曲部１６ａは、電極１６の先端から０．５ｍｍないし１ｍｍの位置が電極１６を形成するワイヤの軸に対して例えば９０°に曲げ加工されている。第３の曲部１６ｃは、操作ワイヤ５４の軸に対して緩やかな角度だけ曲げ加工されている。さらに、第２の曲部１６ｂは、第３の曲部１６ｃにより曲げられた電極１６を操作ワイヤ５４の軸に平行となるように曲げ加工されている。このため、第１の曲部１６ａと第３の曲部１６ｃとの間は、操作ワイヤ５４の軸に対して偏心された偏心部である。また、電極１６の第１の曲部１６ａの先端部には、フック部８０が形成されている。なお、ここでは、第１の曲部１６ａが曲げ加工されたときの角度を９０°として説明したが、操作ワイヤ５４の軸に対して９０°以下であることが好ましい。
【００３０】
次に、このような構成を有する高周波処置具１０の作用について説明する。
【００３１】
まず、図１に示す状態のハンドル本体３２の基端部のリング３２ｂに親指を入れ、スライダ３４に設けられた１対のリング３４ａ，３４ｂにそれぞれ人差指および中指を入れる。ハンドル本体３２のスライド部３２ａに沿ってスライダ３４をリング３２ｂ側に動かす。すると、図３（Ａ）に示す状態から図４（Ａ）に示す状態に高周波処置具１０が変化する。すなわち、図４（Ａ）および図４（Ｂ）に示すように、挿入部２２の先端の電極１６が絶縁チューブ４２の先端に対して内部に引き込まれる。
【００３２】
このとき、第１および第２の曲部１６ａ，１６ｂの間は、絶縁チューブ４２の内周面に摺動可能に僅かに当接された状態で移動する。電極１６の先端は、第１および第２の曲部１６ａ，１６ｂ間が当接された絶縁チューブ４２の内周面に対して対向する内周面の先端部に僅かに離れた位置に配置される。このため、電極１６のフック部８０の形状（長さ）は、絶縁チューブ１６の内径よりも僅かに小さい程度の長さに形成することができる。
【００３３】
この状態の高周波処置具１０のハンドル部２６のコネクタピン３６に高周波電源を装着しておく。
【００３４】
次に、このような状態を保持したまま高周波処置具１０の挿入部２２を図示しない内視鏡の処置具挿通チャンネルに挿入する。挿入部２２の先端部をチャンネルの先端に対して突出させ、目的病変の近傍に挿入部２２の先端を位置させる。
【００３５】
再びハンドル部２６のリング３２ｂ，３４ａ，３４ｂに指を挿入してハンドル本体３２に対してスライダ３４を挿入部２２の先端部側に動かす。すると、図４（Ａ）に示す状態から図３（Ａ）に示す状態に高周波処置具１０が変化する。すなわち、図３（Ａ）および図３（Ｂ）に示すように、挿入部２２の先端に対して電極１６が突出される。このとき、操作ワイヤ５４の先端部のストッパ５６が先端部材４４の内面の小径部４４ｂに突き当てられる。このため、電極１６の突き出し長は、所定の長さに規制される。
【００３６】
図５（Ａ）に示すように、高周波処置具１０の電極１６のフック部８０が病変部１００に対して例えば、横向きに配設されたことが内視鏡の観察像により確認されたものと仮定する。このとき、図５（Ｂ）に示すように、電極１６のフック部８０の向きを９０°偏向させることが好ましい。このような操作を行なうには、内視鏡のチャンネルに対して高周波処置具１０を回転させる。このためには、ハンドル部２６を全体的に挿入部２２の長手軸回りに回転させる。または、挿入部２２の絶縁チューブ４２の基端部を持って挿入部２２の長手軸回りに回転させる。すると、絶縁チューブ４２に加えられた回転力は、絶縁チューブ４２の内周面に配設された先端部材４４に伝達される。先端部材４４には、電極１６の第２および第３の曲部１６ｂ，１６ｃ間がスリット４４ａによって略挟持された状態にある。このため、電極１６がスリット４４ａの壁部に当接されて、電極１６も先端部材４４の回転とともに回転する。したがって、電極１６の先端部のフック部８０が回転する。そうすると、フック部８０は病変部１００に対して所望の向きに向けられる。すなわち、スリット４４ａは、絶縁チューブ４２の回転を電極１６に伝達する回転伝達手段である。なお、この回転力は、操作ワイヤ５４の周囲に固定された第１および第２の密巻コイル５４ａ，５４ｂからも電極１６に伝えられるが、回転モーメントの性質上、絶縁チューブ４２から伝えられる回転力が大きい。
【００３７】
最後に、フック部８０を病変周囲に押し付けた状態で、高周波電流を用いて操作ワイヤ５４を通して電極１６に通電して病変部１００を切除処置する。
【００３８】
以上説明したように、この実施の形態に係る高周波処置具１０によれば、以下の効果が得られる。
【００３９】
簡便な構造で、ハンドル部２６や挿入部２２の絶縁チューブ４２を挿入部２２の軸回りに回転させることによって、電極１６の先端のフック部８０を所望の方向に向けることができる。このため、高周波処置具１０の操作性を向上させることができる。このとき、スリット４４ａに当接される電極１６の面積が第２および第３の曲部１６ｂ，１６ｃによって大きくなるので、絶縁チューブ４２を挿入部２２の軸回りに回転させたときに電極１６が追従して回転する回転追従性を向上させることができる。
【００４０】
また、電極１６を操作ワイヤ５４の軸に対して偏心させる偏心部（第２および第３の曲部１６ｂ，１６ｃ）を設けた。このため、例えば挿入部２２の中心軸上を横切るように電極１６の先端のフック部８０を絶縁チューブ４２の内径に合わせて長く形成することができる。すなわち、同じ長さのフック部を有する電極を備えた高周波処置具を使用する場合、絶縁チューブ４２の中心軸上に電極１６の第１ないし第３の曲部１６ａ，１６ｂ，１６ｃが存在する場合よりも絶縁チューブ４２の内径を小径にすることができる。このため、絶縁チューブ４２の外径も小径にすることができる。そうすると、内視鏡の挿入部の処置具挿通チャンネルの径も小径にすることができるとともに、内視鏡の挿入部を小径にすることができる。したがって、例えばチャンネル径が２ｍｍなど、挿入部が極めて細く形成された内視鏡を使用する場合であっても、フック部８０の長さを短くする必要がなく、目的部の組織（病変部１００）に確実にフック部８０を係止させることができる。
【００４１】
なお、挿入部２２を構成する絶縁チューブ４２を、図示しない密巻コイルの外側に樹脂を被覆した構造としても良い。この場合、電極１６の回転追従性をさらに向上させることができる。
【００４２】
次に、第２の実施の形態について図６（Ａ）および図６（Ｂ）を用いて説明する。この実施の形態は第１の実施の形態の変形例であるので、第１の実施の形態で説明した部材と同一の部材には同一の符号を付し、詳しい説明を省略する。以下、第３ないし第５の実施の形態も同様である。
【００４３】
図６（Ａ）に示すように、この実施の形態では、電極１６は、第１の曲部１６ａと第２の曲部１６ｄとを備えている。第２の曲部１６ｄにより、第１および第２の曲部１６ａ，１６ｄ間は、操作ワイヤ５４の軸に対して傾斜されて偏心されている。
【００４４】
その他の構成は、第１の実施の形態で説明した構成と同様である。この実施の形態に係る高周波処置具１０の作用も第１の実施の形態で説明した作用と同様である。
【００４５】
この実施の形態に係る高周波処置具１０によれば、以下の効果が得られる。なお、第１の実施の形態で記述した効果については記述を省略する。
【００４６】
電極１６には、第１および第２の曲部１６ａ，１６ｄのみがあるので、第１の実施の形態で説明した電極１６の曲げ加工よりもさらに容易に加工することができるので、製造コストを低く抑えることができる。
【００４７】
また、絶縁チューブ４２に当接される可能性がある電極１６の面積が少なく、絶縁チューブ４２から例えば摩擦力などの力が電極１６に加えられることが極力防止されるので、電極１６の進退操作をスムーズに行なうことができる。
【００４８】
次に、第３の実施の形態について図７（Ａ）および図７（Ｂ）を用いて説明する。
【００４９】
図７（Ａ）および図７（Ｂ）に示すように、電極１６のフック部８０は、Ｊ字型に形成されている。
【００５０】
その他の構成は、第１の実施の形態で説明した構成と同様である。この実施の形態に係る高周波処置具１０の作用も第１の実施の形態で説明した作用と同様である。
【００５１】
この実施の形態に係る高周波処置具１０によれば、以下の効果が得られる。なお、第１の実施の形態で記述した効果については記述を省略する。
【００５２】
電極１６の先端の端面を挿入部２２の軸に対して９０°にするのが容易であるため、切開・切除処置をより行ない易くすることができる。
【００５３】
次に、第４の実施の形態について図８を用いて説明する。
【００５４】
図８に示すように、電極１６の第２および第３の曲部１６ｅ，１６ｆは、それぞれ略９０°に曲げられている。このため、第１および第２の曲部１６ａ，１６ｅ間の軸は、操作ワイヤ５４の軸と平行である。
【００５５】
その他の構成は、第１の実施の形態で説明した構成と同様である。この実施の形態に係る高周波処置具１０の作用も第１の実施の形態で説明した作用と同様である。
【００５６】
この実施の形態に係る高周波処置具１０によれば、以下の効果が得られる。なお、第１の実施の形態で記述した効果については記述を省略する。
【００５７】
絶縁チューブ４２から先端部材４４のスリット４４ａを介して伝達される回転力が加えられたとき、電極１６がスリット４４ａに当接される面積が増すので、回転力を電極１６により伝え易くすることができる。
【００５８】
次に、第５の実施の形態について図９を用いて説明する。
【００５９】
図９に示すように、挿入部２２の絶縁チューブ４２の先端部は、例えば熱成型により、スリット状にスリット部４２ａが一体形成されている。絶縁チューブ４２の先端部の内周面には、絶縁チューブ４２に一体成型されていることが好ましい先端部材４４が配設されている。この先端部材４４は、小径部４４ｂを備えた管状に形成されている。すなわち、先端部材４４の先端部には、スリット４４ａが設けられていない。その他の構成は、第１の実施の形態で説明した構成と同様である。
【００６０】
次に、このような構成を有する高周波処置具１０の作用について説明する。
【００６１】
挿入部２２の絶縁チューブ４２を回転させると、その回転力はチューブ４２の先端で一体成型されたスリット部４２ａを介して電極１６に伝えられる。このため、回転力を確実に電極１６に伝達することができる。なお、他の作用は第１の実施の形態で説明した作用と同一なので、説明を省略する。
【００６２】
この実施の形態に係る高周波処置具１０によれば、以下の効果が得られる。なお、第１の実施の形態で記述した効果については記述を省略する。
【００６３】
絶縁チューブ４２の構造を簡便に変形させてスリット部４２ａを一体形成することができるので、製造コストを低く抑えることができる。
【００６４】
なお、上述した実施の形態では、操作ワイヤ５４の先端部に針状電極１６が一体的に配設されていることを説明したが、操作ワイヤ５４と針状電極１６とは別部材として形成され、互いに連結されている構成であっても良い。
【００６５】
これまで、いくつかの実施の形態について図面を参照しながら具体的に説明したが、この発明は、上述した実施の形態に限定されるものではなく、その要旨を逸脱しない範囲で行なわれるすべての実施を含む。
【００６６】
上記説明によれば、下記の事項の発明が得られる。また、各項の組み合わせも可能である。
【００６７】
［付記］
（付記項１）  挿入部先端にフック状の針状電極を突没自在に設けた内視鏡用高周波処置具において、
針状電極上の少なくとも２箇所の曲がり部と、
曲がり部間にあり、挿入部長軸から偏心した部分を設けたことを特徴とする高周波処置具。
【００６８】
（付記項２）  挿入部先端にフック状の針状電極を突没自在に設けた内視鏡用高周波処置具において、
針状電極上の少なくとも２箇所の曲がり部と、
曲がり部間にあり挿入部長軸から偏心した部分と、
挿入部先端内にあり、間に電極を配置したスリット部とを設け、
挿入部の長軸を中心とした回転力がスリットを介して針電極の偏心部に伝わることを特徴とする高周波処置具。
【００６９】
（付記項３）  付記項２において、スリット部は挿入部を構成する可撓性チューブの先端内部に圧入されることを特徴とする。
【００７０】
（付記項４）  付記項３において、スリット部は挿入部先端内の電極突き出し長を規制する部材と一体であることを特徴とする。
【００７１】
（付記項５）  付記項４において、針電極を進退させる操作ワイヤの一部に多条コイルを固定したことを特徴とする。
【図面の簡単な説明】
【００７２】
【図１】第１の実施の形態に係る高周波処置具の側面図。
【図２】（Ａ）は第１の実施の形態に係る高周波処置具の概略的な部分縦断面図、（Ｂ）は、（Ａ）中の２Ｂ−２Ｂ線に沿う横断面図。
【図３】第１の実施の形態に係る高周波処置具の先端部を示し、（Ａ）は電極を絶縁チューブの先端に対して突出させた状態を示す概略的な縦断面図、（Ｂ）は（Ａ）中の矢印３Ｂ方向から観察した状態を示す概略的な部分縦断面図。
【図４】第１の実施の形態に係る高周波処置具の先端部を示し、（Ａ）は電極を絶縁チューブの先端に対して引き込んだ状態を示す概略的な縦断面図、（Ｂ）は（Ａ）中の矢印４Ｂ方向から観察した状態を示す概略的な縦断面図。
【図５】第１の実施の形態に係る高周波処置具の先端部を示し、（Ａ）は電極のフック部が電極の軸に重なった状態を示す概略的な斜視図、（Ｂ）は（Ａ）に示す高周波処置具を略９０°回転させた状態を示す概略的な斜視図。
【図６】第２の実施の形態に係る高周波処置具の先端部を示し、（Ａ）は電極を絶縁チューブの先端に対して突出させた状態を示す概略的な縦断面図、（Ｂ）は（Ａ）中の矢印６Ｂ方向から観察した状態を示す概略的な部分縦断面図。
【図７】第３の実施の形態に係る高周波処置具の先端部を示し、（Ａ）は電極を絶縁チューブの先端に対して突出させた状態を示す概略的な縦断面図、（Ｂ）は電極の先端部の概略図。
【図８】第４の実施の形態に係る高周波処置具の先端部を示し、電極を絶縁チューブの先端に対して突出させた状態を示す概略的な縦断面図。
【図９】第５の実施の形態に係る高周波処置具の先端部を示し、電極を絶縁チューブの先端に対して突出させた状態を示す概略的な斜視図。
【図１０】従来の技術に係り、（Ａ）は電極を絶縁チューブの先端に対して引き込んだ状態を示す概略的な縦断面図、（Ｂ）は電極を絶縁チューブの先端に対して突出させた状態を示す概略的な縦断面図。
【符号の説明】
【００７３】
１６…針状電極、１６ａ…第１の曲部、１６ｂ…第２の曲部、１６ｃ…第３の曲部、２２…挿入部、４２…絶縁チューブ、４２ａ…スリット部、４４…先端部材、４４ａ…スリット、４４ｂ…小径部、５４…操作ワイヤ、５４ａ…第１の密巻コイル、５６…ストッパ、８０…フック部
【図１】
2005230080.tif 000003
【図２】
2005230080.tif 000004
【図３】
2005230080.tif 000005
【図４】
2005230080.tif 000006
【図５】
2005230080.tif 000007
【図６】
2005230080.tif 000008
【図７】
2005230080.tif 000009
【図８】
2005230080.tif 000010
【図９】
2005230080.tif 000011
【図１０】
2005230080.tif 000012